(57)【特許請求の範囲】
【請求項１】
防災受信盤から引き出された電源線及び信号線を含む伝送路にトンネル内に設置した検出器や制御機器等の端末機器を接続すると共に所定間隔毎に中継増幅盤を接続し、各中継増幅盤は端末側となる下り側電源線に電源を供給してトンネル内を監視制御するトンネル防災設備に於いて、
前記中継増幅盤に、
受信盤側となる上り側電源線の電源電圧を監視して電圧低下を検出する電圧低下検出回路と、
上り側の電源線に盤内蔵電源を接続する折返し接点を設け、前記電圧低下検出回路の検出出力が得られた際に、上り側の電源線に設けた折返し接点を閉じることにより上り側の電源線に電源を供給するバックアップ回路と、
前記信号線に盤内の信号処理部をバイパスさせるバイパス接点を接続し、盤の異常時に前記バイパス接点を閉じて信号線をバイパスするバイパス回路と、
を備えたことを特徴とするトンネル防災設備。
【請求項２】
請求項１記載のトンネル防災設備に於いて、
前記バックアップ回路は、前記電圧低下検出回路の検出出力により作動する折返しリレーを備え、前記折返しリレーの常開リレー接点（ノーマルオープン接点）を前記折返し接点に使用し、
前記バイパス回路は、盤の正常時に作動し、異常時に非作動となるバイパスリレーを備え、前記バイパスリレーの常閉リレー接点（ノーマルクローズ接点）を前記バイパス接点に使用したことを特徴とするトンネル防災設備。
【請求項３】
請求項１記載のトンネル防災設備に於いて、信号線は、防災受信盤から端末に電圧モードで信号を伝送する下り信号線と、端末から前記防災受信盤に電流モードで信号を伝送する上り信号線を含むことを特徴とするトンネル防災設備。
【発明の詳細な説明】
【０００１】
【発明の属する技術分野】
本発明は、防災受信盤から引き出された電源線、コモン線及び信号線を含む伝送路にトンネル内に設置した検出器や制御機器等の端末機器を接続すると共に所定間隔毎に中継増幅盤を接続してトンネル内を監視制御するトンネル防災設備に関する。
【０００２】
【従来の技術】
従来、自動車専用道路のトンネルに使用される防災設備として、防災受信盤からトンネル内に引き出された伝送路に接続している複数の端末機器にアドレスを割当て、アドレスを指定した各種のコマンドの送信により火災検知器の情報収集による火災監視や、火災を判断した際の水噴霧ヘッドからの放水制御等を行う所謂Ｒ型伝送方式をとっている。
【０００３】
このようなＲ型伝送方式を採用したトンネル防災設備では、例えば図６のように、防災受信盤１０１からトンネル内に引き出された伝送路１０２に対し例えば火災検知器１０５を接続している。また伝送路１０２での電圧低下を防止するため、トンネル内の約８００メートルといった一定間隔毎に中継増幅盤１０７を配置している。
【０００４】
ここで伝送路１０２は、電源線ＳＶ、コモン線ＳＣ、端末側に電圧モードで信号を送る下り信号線ＳＡ、端末から電流モードで信号を送り返す上り信号線ＳＢから構成されている。また中継増幅盤１０７は電源を内蔵しており、各中継器１０７より端末側となる下り電源線ＳＶとコモン線ＳＣ間に電源を供給している。
尚、最初の中継増幅盤１０７までの間は防災受信盤１０１からの電源供給となる。
【０００５】
ところで、このようなトンネル防災設備の中継増幅盤で電源等に異常が生じた場合には、特開２０００−２０７６５４号のように、伝送路２をバイパスする方法が公知である。
【０００６】
図７は図６の中継増幅盤に公知のバイパス方法を適用した場合であり、リレー接点ａ１１〜ａ１４，ａ２１〜ａ２４を使用し、４線ともバイパスしている。即ち、電源ダウン等の異常が起きた際には、リレー接点ａ１１，ａ１２，ａ２１，ａ２２をバイパス側に切替えて上り及び下りの電源線ＳＶとコモン線ＳＣをバイパス接続する。同時に、リレー接点ａ１３，ａ１４，ａ２３，ａ２４をバイパス側に切替え、上り及び下りの信号線ＳＡ，ＳＢを信号処理部１０８を迂回するようにバイパス接続する。
【０００７】
なお、通常は、リレー接点ａ１１，ａ１２，ａ２１，ａ２２はバイパスされておらず、図示しない電圧検出回路によって電源線ＳＶ及びコモン線ＳＣ間の電圧を監視している。また、リレー接点ａ１３，ａ１４，ａ２３，ａ２４は、通常時はバイパスしておらず、信号線ＳＡ，ＳＢの信号を波形整形したり、増幅したりしている。
【０００８】
【発明が解決しようとする課題】
しかしながら、このような中継増幅盤の４線をバイパスする方法にあっては、例えば施工中等に複数の中継増幅盤１０７の電源を落とした状態で防災受信盤１０１の電源を投入すると、防災受信盤１０１は電源を落としている中継増幅盤１０７の下り側の伝送路２に接続している全ての端末機器に電源を供給することとなり、通常時の複数倍の端末が防災受信盤１０１に接続され、電源の負荷が大きくなり、防災受信盤１０１の電源がダウンしてしまう恐れがあった。
【０００９】
また防災受信盤の電源ダウンを回避するため、端末機器の台数分の容量をもった電源を設けることは、コストおよび構造上から困難である。更に、中継増幅盤についても、その下り側に配置している複数の中継増幅盤の電源を落とした場合にも、中継増幅盤が以降のバイパスしている中継増幅盤に接続されている端末に対して電源を供給する必要があり、同一の問題が発生する。
【００１０】
これにより中継増幅盤がダウンすると更に前段の中継増幅盤がダウンすることになり、結果的にはシステム全体がダウンする可能性がある。なお、上記のバイパス動作は、中継増幅盤の電源異常のみならず、信号処理部１０８の異常時にも行われる。
【００１１】
本発明は、中継増幅盤の電源ダウン等の異常時に防災受信盤や上り側に位置する特定の中継増幅盤の電源負荷を大きく変動させることなく安定して電源供給をバックアップすることのできるトンネル防災設備を提供することを目的とする。
【００１２】
【課題を解決するための手段】
この目的を達成するため本発明は次のように構成する。本発明は、防災受信盤から引き出された電源線及び信号線を含む伝送路にトンネル内に設置した検出器や制御機器等の端末機器を接続すると共に所定間隔毎に中継増幅盤を接続し、各中継盤は端末側となる下り側電源線に電源を供給してトンネル内を監視制御するトンネル防災設備を対象とする。
【００１３】
このようなトンネル防災設備につき本発明は、中継増幅盤に、受信盤側となる上り側電源線の電源電圧を監視して電圧低下を検出する電圧低下検出回路と、上り側の電源線に盤内蔵電源を接続する折返し接点を設け、電圧低下検出回路の検出出力が得られた際に、上り側の電源線に設けた折返し接点を閉じることにより上り側の電源線に電源を供給するバックアップ回路と、信号線に盤内の信号処理部をバイパスさせるバイパス接点を接続し、盤の異常時にバイパス接点を閉じて信号線をバイパスするバイパス回路とを備えたことを特徴とする。
【００１４】
バックアップ回路は、電圧低下検出回路の検出出力により作動する折返しリレーを備え、この折返しリレーの常開リレー接点（ノーマルオープン接点）を折返し接点に使用する。またバイハス回路は、盤の正常時に作動し、異常時に非作動となるバイパスリレーを備え、このバイパスリレーの常閉リレー接点（ノーマルクローズ接点）をバイパス接点に使用する。
【００１５】
このため施工中の立上げ時や運用中に中継増幅盤が電源ダウン等の異常が発生した場合、ダウンした中継増幅盤の下り側に隣接して配置している中継増幅盤が電源電圧の低下を検出して上り側に電源を折り返す電源のバックアップ動作を行い、このとき電源ダウンを起した中継増幅盤ではバイパス接点が閉じてコモン線のオープン状態にある折返し接点をバイパスすると共に、信号線をバイパスすることとなり、中継増幅盤は、通常時に電源を供給している下り側伝送路に接続した負荷に電源バックアップを行う上り側伝送路に接続した負荷を加えた電源容量を持てばよく、防災受信盤や特定の中継増幅盤の電源負荷を大きく増やす必要がなく、各盤の電源容量をバックアップを考慮しても十分に小さくでき、設備のコストを低減できる。
【００１６】
また中継増幅盤の電源バックアップ区間は、上り側の１区間（隣接する中継増幅盤までの区間）に限定され、複数の中継増幅盤をバイパスして電源バックアップする場合に比べ線路距離が短い分、電圧降下を小さくできる。そして、防災受信盤からの信号は確実に最終まで伝わることができる。
【００１７】
更に本発明の伝送路で使用する信号線は、防災受信盤から端末に電圧モードで信号を伝送する下り信号線と、端末から防災受信盤に電流モードで信号を伝送する上り信号線を含む。
【００１８】
【発明の実施の形態】
図１は本発明のトンネル防災設備のシステム構成の説明図である。
【００１９】
図１において、防災受信盤１はトンネル設備の監視室に設置されており、監視室に設置された防災受信盤１から上りトンネルに対し上りトンネル伝送路２ａが引き出され、また下りトンネルに対し下りトンネル伝送路２ｂが引き出されており、この実施形態では上りトンネル伝送路２ａ側を示している。
【００２０】
上りトンネル伝送路２ａとしては、防災受信盤１より検知器ライン３と中継器ライン４が引き出されている。検知器ライン３及び中継器ライン４は、トンネル内の道路の路肩のトンネル壁根元部分に構築した監視員通路のダクト内などに配線されている。
【００２１】
検知器ライン３には所定間隔で火災検知器５が接続され、また中継器ライン４には所定間隔で水噴霧用ヘッドからの水噴霧制御を行うための中継器６を接続している。更に検知器ライン３及び中継器ライン４に対しては、一定間隔例えば８００メートルの間隔ごとに中継増幅盤７−１，７−２，・・・７−ｎが設けられている。
【００２２】
更に防災受信盤１に対してはポンプ制御盤２０が設けられ、水噴霧用ヘッドの放水制御の際にはポンプ制御盤２０より図示しない消火ポンプを運転して加圧消火用水をトンネル内のヘッドに供給して、水噴霧制御を行うようにしている。
【００２３】
防災受信盤１と火災検知器５の間、防災受信盤１と中継器６及び中継増幅盤７−１〜７−ｎとの間の制御信号及び応答信号の伝送は、それぞれに固有のアドレスが予め割り当てられており、制御対象または応答先を指定したアドレスを含む制御信号または応答信号を検知器ライン３及び中継器ライン４を介して転送し、受信側にあっては自己アドレスに一致するアドレスの制御信号または応答信号を受けて必要な処理を行うようになる。
【００２４】
この防災受信盤１と火災検知器５、中継器６、中継増幅盤７−１〜７−ｎとの間の伝送は、処理要求が発生した際にアドレスを含む制御信号または応答信号を送出する伝送方式以外に、防災受信盤１から一定間隔でポーリングコマンドを端末側に送信し、ポーリングコマンドによる制御とポーリングコマンドに対する応答コマンドによる応答信号の返送を行うようにしてもよい。
【００２５】
図２は図１の中継増幅盤７−１，７−２の部分を取り出して示した本発明による中継増幅盤の実施形態の回路ブロック図である。
【００２６】
図２において、中継増幅盤７−１には防災受信盤１側より検知器ライン３ａと信号変換器（中継器）ライン３ｂが接続されている。検知器ライン３ａ側を例にとると、防災受信盤１からは、電源線ＳＶ、コモン線ＳＣ、電圧モードで防災受信盤１側から端末側に信号を伝送する下り信号線ＳＡ、端末側から防災受信盤１に対し電流モードで信号を伝送する信号線ＳＢの４本を接続している。
【００２７】
この点は信号変換器ライン３ｂについても同様に、電源線ＳＶ、コモン線ＳＣ、下り信号線ＳＡ、上り信号線ＳＢの４線で構成される。中継増幅盤７−１には、電源部１８が設けられ、ＡＣ１００Ｖの商用交流電源等からＤＣ４８Ｖを作り出している。
【００２８】
検知器ライン３ａ側について説明すると、電源部１８からのＤＣ４８Ｖの電源出力は、ダイオードＤ２を介して端末側となる下り側の電源線ＳＶとコモン線ＳＣ間に供給されている。電源部１８に対する上り側の電源線ＳＶ及びコモン線ＳＣに対しては、信号処理部８に接続した折返しリレーＢのリレー接点ｂ１，ｂ２が挿入され、電源線ＳＶ側にはダイオードＤ１が接続される。
【００２９】
リレー接点ｂ１，ｂ２は折返しリレーＢの常開リレー接点（ノーマルオープン接点）であり、通常時、折返しリレーＢは非作動であり、リレー接点ｂ１，ｂ２は図示のように開いており、このため電源部１８は上り側の電源線ＳＶとコモン線ＳＣ間に電源供給は行っていない。
【００３０】
この折返しリレーＢとリレー接点ｂ１，ｂ２により本発明における電源のバックアップ回路が構成される。
【００３１】
また上り側の電源線ＳＶとコモン線ＳＣの間には電圧低下検出回路１０−１が設けられる。電圧低下検出回路１０−１は上り側の電源線ＳＶとコモン線ＳＣ間の電源電圧を監視しており、電源電圧が規定電圧以下もしくは０Ｖ付近に低下すると電圧低下検出信号を信号処理部８に出力し、折返しリレーＢを作動する。
【００３２】
折返しリレーＢが作動されると、そのリレー接点ｂ１，ｂ２が閉じ、電源部１８からのＤＣ４８Ｖはリレー接点ｂ１，ｂ２を通って上り側の電源線ＳＶとコモン線ＳＣ間に供給され、中継増幅盤７−１の前段の端末にもＤＣ４８Ｖを供給し、この電源の折り返しによるバックアップを行う。
【００３３】
中継増幅盤７−１の信号処理部８に対しては、検知器ライン３ａの下り信号線ＳＡが電圧バッファアンプ１２ａを介して入力接続され、その出力は電圧バッファアンプ１２ｂを介して下り側の下り信号線ＳＡに接続されている。また下り側の上り信号線ＳＢは電流バッファアンプ１３ａを介して信号処理部８に接続され、その出力は電流バッファアンプ１３ｂを介して上り側の上り信号線ＳＢに接続されている。
【００３４】
この下り信号線ＳＡ及び上り信号線ＳＢの各系統には、信号処理部８に接続しているバイパスリレーＡの切替リレー接点ａ１，ａ３，ａ４が設けられ、更にそのリレー接点ａ２をコモン線ＳＣ側に挿入している電源折返し用のリレー接点ｂ２と並列に接続している。
【００３５】
信号処理部８に接続しているバイパスリレーＡは、電源部１８からＤＣ４８Ｖが供給されている正常時に作動し、図示のように切替リレー接点ａ１，ａ３，ａ４を信号処理部８側に閉じ、またリレー接点ａ２を開いている。中継増幅盤７−１で電源ダウンや信号処理部８の処理ダウンなどの異常が起きると、信号処理部８に電源供給が行われなくなることや信号処理部８が正常に動作しなくなることで、バイパスリレーＡは非作動状態に復旧し、これによって切替リレー接点ａ１，ａ３，ａ４はバイパス側に切り替わり、またリレー接点ａ２が閉じて電源折返し用のリレー接点ｂ２をバイパスする。
【００３６】
この信号線のバイパスは、下り信号線ＳＡ側については、上り側の電圧バッファアンプ１２ａ、信号処理部８及び電圧バッファアンプ１２ｂを迂回するバイパス回路をリレー接点２ａのバイパス範囲の切替えで形成する。また上り信号線ＳＢ側にあっては、リレー接点ａ４及びａ１がバイパス側に切り替わることで、電流バッファアンプ１３ａ、信号処理部８、電流バッファアンプ１３ｂの経路を迂回したバイパス経路を形成する。
【００３７】
ここでバイパスリレーＡのリレー接点ａ２により、コモン線ＳＣに対する本発明におけるバイパス回路が構成される。なお、電源線ＳＶに関してはバイパスを行わない。これは、後段の中継増幅盤７−２から中継増幅盤７−１側に電源が供給さるのでバイパスの必要はない。
【００３８】
このような検知器ライン３ａ側の電圧低下検出回路、バックアップ回路及びバイパス回路の構成は、信号変換器ライン３ｂ側についても同様であり、電圧低下検出回路１０−２、折返しリレーＢとそのリレー接点ｂ３，ｂ４を備えたバックアップ回路、及びバイパスリレーＢとその切替リレー接点ａ５，ａ７，ａ８とリレー接点ａ６を備えたバイパス回路で構成される。また中継増幅盤７−１の下り側に接続している中継増幅盤７−２においても、同じ回路構成が設けられている。
【００３９】
次に本発明のトンネル防災設備の中継増幅盤側における電源供給及び電源バックアップの動作を検知器ライン３ａ側を例にとって説明する。まず防災受信盤１に接続している中継増幅盤７−１〜７−ｎが全て正常な場合には、図２の中継増幅盤７−１に示したように、各中継増幅盤７−１〜７−ｎにあっては、折返しリレーＢが非作動、バイパスリレーＡが作動となり、リレー接点ｂ１，ｂ２は開いていることから電源部１８−１からのＤＣ４８Ｖは下り側の電源線ＳＶ，コモン線ＳＣ間にのみ供給される。
【００４０】
また下り信号線ＳＡと上り信号線ＳＢにあっては、リレー接点ａ１，ａ３，ａ４が信号処理部８側に閉じ、下り信号線ＳＡの電圧モードの信号を電圧増幅により波形整形して次の中継増幅盤７−２に送り出し、また中継増幅盤７−２側からの電流モード信号による応答信号を電流バッファアンプ１３ａ，１３ｂで規定電流に戻して上り側の信号線に出力している。
【００４１】
図３は図１の中継増幅盤７−１〜７−４の４台を例にとって、電源線ＳＶとコモン線ＳＣについて電源供給状態を取出している。図３の定常時にあっては、中継増幅盤７−１〜７−４のいずれにおいてもリレー接点ｂ１，ｂ２は全て開いており、したがって各中継増幅盤７−１〜７−４の電源４８Ｖは下り側に位置する電源線ＳＶとコモン線ＳＣ間に供給されている。
【００４２】
次に図２の中継増幅盤７−２で電源ダウンが起きた場合の動作を説明する。中継増幅盤７−２で電源ダウンが起きたとすると、下り側の電源線ＳＶとコモン線ＳＣ間に対するＤＣ４８Ｖの供給が行われなくなる。このため、中継増幅盤７−２の下り側に接続している中継増幅盤７−３の電圧低下検出回路１０−１が電源電圧の低下を検出して検出出力を生じ、信号処理部８に接続している折返しリレーＢを作動する。
【００４３】
このため中継増幅盤７−３のリレー接点ｂ１，ｂ２が閉じ、図４の中継増幅盤７−３に示すように、電源ＤＣ４８Ｖをリレー接点ｂ１，ｂ２を介して、電源ダウンを起こしている中継増幅盤７−２側の電源線ＳＶとコモン線ＳＣ間に供給する電源折り返しを行ってバックアップする。
【００４４】
また電源ダウンを起こした中継増幅盤７−２にあっては、電源ダウンによってバイパスリレーＡが非作動状態に復旧し、このためリレー接点ａ１，ａ３，ａ４がバイパス側に切り替わり、電源ダウンを起こしている中継増幅盤７−２の信号処理部８を迂回したバイパス経路により、電源ダウンを起こした中継増幅盤７−２に接続している下り信号線ＳＡ及び上り信号線ＳＢの両端同士を直接接続するバイパス接続とする。
【００４５】
同時に、リレー接点ｂ２に並列接続しているリレー接点ａ２が図４の電源ダウンを起した中継増幅盤７−２に示すように閉じ、コモン線のリレー接点ｂ２をバイパスする。よって、防災受信盤１からの信号は、中継増幅盤７−２をバイパスして中継増幅盤７−３以降に伝送される。なお、伝送信号は、１，２台程度の中継増幅盤をバイパスしても、信号の伝送品質に特に問題はない。
【００４６】
この中継増幅盤７−２で電源ダウンが起きた時の電源バックアップとバイパス切替えは、信号変換器ライン３ｂ側についても同様である。
【００４７】
図５は中継増幅盤７−１〜７−４の内、隣接する２つの中継増幅盤７−２，７−３が電源ダウンを起こした場合の動作を、電源線ＳＶとコモン線ＳＣ側について表わしている。
【００４８】
２台の中継増幅盤７−２，７−３に電源ダウンが起きると、中継増幅盤７−３に続く下り側の中継増幅盤７−４において電圧低下が検出され、これによって折返しリレーＢが作動し、そのリレー接点ｂ１，ｂ２を閉じ、電源折り返しにより電源ダウンを起こした中継増幅盤７−３との間の上り側の電源線ＳＶとコモン線ＳＣ間の電源を供給してバックアップする。
【００４９】
しかしながら、中継増幅盤７−２の電源ダウンによる電圧低下は、次の中継増幅盤７−３も電源ダウンを起こしていることから、電圧低下を検出して電源折返しによるバックアップを行うことができず、中継増幅盤７−２と中継増幅盤７−３の間に接続している端末機器が電源ダウンにより動作が停止し、この区間が未監視区間となる。
【００５０】
このように未監視区間ができるのは２台以上の中継増幅盤が連続して電源ダウンを起こした場合であり、係る事態は施工中などにあっては起きるが、通常の運用状態にあってはその可能性は極めて低く、万一、未監視区間が発生しても防災受信盤１側で電源ダウンが認識できることから、適切に対応できる。
【００５１】
また図５のように２台の中継増幅盤７−２，７−３が連続して電源ダウンを起こした場合、コモン線ＳＣ側のリレー接点ｂ２は開いたままであることから、この場合にもバイパスリレーＢの非作動状態の復旧によってリレー接点ａ２を閉じ、電源ダウンを起こした中継増幅盤７−２，７−３のコモン線ＳＣ側のリレー接点ｂ２をバイパスする。よって、防災受信盤１よりの信号は確実に最後の端末まで伝送される。
【００５２】
なお上記の実施形態にあっては、電源のバックアップ回路及び電源と信号のバイパス回路をリレーとそのリレー接点により実現しているが、トランジスタ、ＦＥＴの半導体スイッチを使用して良い。
【００５３】
また、上記の実施形態においては、信号線のバイパスは中継増幅盤の電源がダウンした場合に行う構成としたが、これに限らず、信号処理部８などの内部回路の異常時に行っても良い。
【００５４】
また本発明は、その目的と利点を損なわない適宜の変形を含み、更に上記の実施形態に示した数値による限定は受けない。
【００５５】
【発明の効果】
以上説明してきたように本発明によれば、防災受信盤からの伝送路に接続している中継増幅盤に電源ダウン等の異常が起きた場合、ダウンした中継増幅盤の下り側に隣接して配置している中継増幅盤が電源電圧の低下を検出して上り側に電源を折返す電源のバックアップ動作を行うこととなり、通常時の電源供給とバックアップでの電源供給を考慮すると、中継増幅盤は下り側と上り側の各区間に接続している端末機器を負荷とする電源容量を持てば良く、防災受信盤や特定の中継増幅盤の電源負荷を大きく増やす必要がなく、各盤における電源バックアップの際の容量を考慮しても、電源容量を十分に小さくでき、設備構成を結果として低減することができる。
【００５６】
また中継増幅盤の電源バックアップ区間は上り側の１区間に限定され、複数の中継増幅盤をバイパスして電源バックアップを行う場合に比べ、バックアップする線路距離が短い分バックアップ時の電圧降下を小さくでき、信頼性の高い電源バックアップができる。
【００５７】
更に、信号線に関しては、中継増幅盤のダウン時にバイパス回路を形成することで確実に最終の端末や中継増幅盤まで信号を送ることができる。
【図面の簡単な説明】
【図１】本発明のシステム構成図
【図２】図１の中継増幅盤の実施形態を示した回路ブロック図
【図３】複数の中継増幅盤による正常時の電源供給状態の説明図
【図４】図３において１台の中継増幅盤が電源ダウンした場合のバックアップ動作の説明図
【図５】図３において隣接する２台の中継増幅盤が電源ダウンした場合のバックアップ動作の説明図
【図６】Ｒ型のトンネル防災設備の説明図
【図７】図６つき公知のバイパス方式を適用した中継増幅盤の回路ブロック図
【符号の説明】
１：防災受信盤
２ａ：上りトンネル伝送路
２ｂ：下りトンネル伝送路
３：検知器ライン
４：中継器ライン
５：火災検知器
６：中継器
７−１〜７−ｎ：中継増幅盤
８：信号処理部
１０，１１：電圧低下検出回路
１２ａ，１２ｂ，１４ａ，１４ｂ：電圧バッファアンプ
１３ａ，１３ｂ，１５ａ，１５ｂ：電流バッファアンプ
１６：電動弁
１７；水噴霧ヘッド
１８：電源部
２０：ポンプ制御盤
Ａ：バイパスリレー
Ｂ：折返しリレー
ａ１，ａ３，ａ４，ａ５，ａ７，ａ８：切替リレー接点
ａ２，ａ５：リレー接点（バイパス接点）
ｂ１，ｂ２：リレー接点（折返し接点）
【図１】
0004563574.tif 000002
【図２】
0004563574.tif 000003
【図３】
0004563574.tif 000004
【図４】
0004563574.tif 000005
【図５】
0004563574.tif 000006
【図６】
0004563574.tif 000007
【図７】
0004563574.tif 000008